(57)【要約】本発明の遠心矯正装置（１０）は、口の天蓋内に配置される固定ベース（１５）を備えた前方の支持アセンブリ（１２）を有している。横方向に配置される後方のばねアセンブリ（１４）には、上顎臼歯（２５）に取付けられる関連鞘（４０）内に着脱可能に受入れられる外端部（３４、３８）が設けられている。固定ベース（１５）とばねアセンブリ（１４）との間には、遠心矯正すべき臼歯（１２５）に伝達される力をばねアセンブリ（１４）に加えるための調節アセンブリ（１６）が中央に配置される。
2004509696.tif 000002
【特許請求の範囲】
【請求項１】
口の上方部分に座合できる固定ベースを備えた前方の支持アセンブリと、
第一部分および外方に延びている少なくとも１つの第二部分をもつばね手段を備えた後方のばねアセンブリとを有し、第二部分は歯に対して着脱可能に取付けられ、
前記ベースに取付けられる前方部と、着脱可能な関係をなして前記ばね手段の第一部分を受入れる後方部と、ばね手段の第二部分および該第二部分が取付けられた歯に力を加えるための、前記前方部および後方部を移動可能な関係をなして一体に連結する手段とを備えた調節手段を更に有することを特徴とする遠心矯正装置。
【請求項２】
前記調節手段は、自由に回転可能な関係をなして前記前方部に取付けられる第一部分を備えたねじを有し、該ねじは、これが回転されると前記後方部が前方部に対して移動できるように前記後方部にねじ連結された第二部分を備えていることを特徴とする請求項１記載の遠心矯正装置。
【請求項３】
前記調節手段は、前記第一部分と第二部分とを摺動関係をなして一体に連結する１対のスライドロッドを備えていることを特徴とする請求項２記載の遠心矯正装置。
【請求項４】
前記ねじの第一部分はツール受入れ部分を備えており、該ツール受入れ部分によりねじを回転することにより前記前方部および後方部を互いに移動させることができることを特徴とする請求項２記載の遠心矯正装置。
【請求項５】
前記ねじのヘッドは多面形状を有しかつ口の前方から傾斜関係をなしてツールを受入れることができることを特徴とする請求項４記載の遠心矯正装置。
【請求項６】
前記調節手段の前方部は、横方向に配置されかつ前記ベースに固定される、前方に延びている部分を備えていることを特徴とする請求項１記載の遠心矯正装置。
【請求項７】
前記固定ベースはプラスチック材料で形成されたナンスボタンであり、前記横方向に配置される部分はナンスボタン内に埋入されることを特徴とする請求項６記載の遠心矯正装置。
【請求項８】
前記固定ベースはプラスチック材料で形成されたナンスボタンであり、
前記ベースは、内端部がナンスボタン内に埋入される外方に延びた部分を備え、該外方に延びた部分の外端部は歯にセメント付けできることを特徴とする請求項１記載の遠心矯正装置。
【請求項９】
前記ばねアセンブリは、歯に取付けることができる対向スリーブと、着脱可能な関係をなして関連スリーブ内に受入れられる外端部とを備えていることを特徴とする請求項１記載の遠心矯正装置。
【請求項１０】
前記調節手段の後方部はスロットを備え、ばねアセンブリは、前記スロット内に着脱可能に受入れられる、前方に延びた中間部を備えていることを特徴とする請求項１記載の遠心矯正装置。
【請求項１１】
前記ばね手段は、前方に延びた中間部と、外方に延びた部分とを備え、該外方に延びた各部分は歯に対して着脱可能に取付けることができ、
前記調節手段は中央に配置され、前記後方部はばね手段の中間部を着脱可能な関係をなして受入れるスロットを備えていることを特徴とする請求項１記載の遠心矯正装置。
【請求項１２】
前記固定ベースは、口の天蓋に取付けられる口蓋骨内インプラントであることを特徴とする請求項１記載の遠心矯正装置。
【請求項１３】
前記調節手段は、前記インプラントと調節装置との間で延びている支持手段によりインプラントに取付けられることを特徴とする請求項１２記載の遠心矯正装置。
【請求項１４】
前記支持手段は、インプラントに取付けられる湾曲部と、調節装置に取付けられる、後方に延びたアームとを備えている全体としてＵ形のワイヤであることを特徴とする請求項１３記載の遠心矯正装置。
【請求項１５】
固定ベースを形成する手段を備えた前方の支持アセンブリと、
ばねを備えた後方のばねアセンブリとを有し、
前記固定ベースに取付けられる前方部と、着脱可能な関係をなして前記ばねを受入れる後方部と、前記前方部および後方部を移動可能な関係をなして一体にねじ連結するねじとを備えた調節装置を更に有することを特徴とする遠心矯正装置を構成するキット。
【請求項１６】
前記固定ベースはナンスボタンを形成する手段を有していることを特徴とする請求項１５記載のキット。
【請求項１７】
前記固定ベースは骨内インプラントを形成する手段を有していることを特徴とする請求項１５記載のキット。
【請求項１８】
前記ねじは多面形ヘッドを備え、ねじのヘッドを受入れて回転させることができるツールを有することを特徴とする請求項１５記載の遠心矯正装置。
【請求項１９】
口の上方部分に座合できる固定ベースを備えた前方の支持アセンブリと、
第一中間部および外方に延びている対向第二部分をもつばね手段を備えた後方のばねアセンブリとを有し、第二部分は関連する歯に対して着脱可能に取付けられ、
前記ベースに取付けられる前方部と、着脱可能な関係をなして前記ばね手段の第一部分を受入れるスロットを備えた後方部と、ばね手段の第二部分および該第二部分が取付けられた歯に力を加えるための、前記前方部および後方部を移動可能な関係をなして一体に連結する手段とを備えた調節手段を更に有することを特徴とする遠心矯正装置。
【請求項２０】
前記ばね手段の中間部は全体としてＵ形であることを特徴とする請求項１９記載の遠心矯正装置。
【請求項２１】
前記調節手段の前方部は、横方向に配置された、前方に延びている部分を備えていることを特徴とする請求項１９記載の遠心矯正装置。
【請求項２２】
口の上方部分に座合できる固定ベースを備えた前方の支持アセンブリと、
第一部分および外方に延びている少なくとも１つの第二部分をもつばね手段を備えた後方のばねアセンブリとを有し、第二部分は歯に対して着脱可能に取付けられ、
前記ベースに取付けられる前方部と、着脱可能な関係をなして前記ばね手段の第一部分を受入れる後方部と、ばね手段の第二部分および該第二部分が取付けられた歯に力を加えるための、前記前方部および後方部を移動可能な関係をなして一体に連結する手段とを備えた調節手段を更に有し、
前記前方部および後方部を一体に連結する手段は前方部と後方部との間で連結されたねじを備え、後方部は前記ねじが回転されると前方部に対して移動でき、前記ねじは口の前方から傾斜関係をなしてツールを受入れることができるヘッドを備えていることを特徴とする遠心矯正装置。
【発明の詳細な説明】
【０００１】
（技術分野）
本発明は、広くは、非抜歯臼歯遠心矯正法により不正咬合問題を矯正する装置に関し、より詳しくは、前方の固定アセンブリと、後方のばねアセンブリと、これらの両アセンブリの間で延びている、遠心矯正を達成するためのねじ調節装置とを使用する装置に関する。
【０００２】
（背景技術）
ＩＩ級不正咬合を矯正する現在の歯科矯正学に使用されている最も良く知られた装置の１つは、本願に援用する１９９２年１１月発行の歯科臨床矯正学ジャーナル（Ｊｏｕｒｎａｌ ｏｆ Ｃｌｉｎｉｃａｌ Ｏｒｔｈｏｄｏｎｔｉｃｓ）におけるＪａｍｅｓ Ｊ． Ｈｉｌｇｅｒｓの論文「ＩＩ級非コンプライアンス治療用振子装置（“Ｔｈｅ ｐｅｎｄｕｌｕｍ Ａｐｐｌｉａｎｃｅ ｆｏｒ Ｃｌａｓｓ ＩＩ Ｎｏｎ−Ｃｏｍｐｌｉａｎｃｅ Ｔｈｅｒａｐｙ”）」（第７０６〜７１４頁）に開示されている振子装置である。振子装置は口蓋領域に大きいナンス（Ｎａｎｃｅ）アクリルボタンを使用する装置であり、ナンスボタンは、該ボタンの中間点と第一上・臼歯との間に取付けられるばねアセンブリと組み合わされて、ワイヤアタッチメントアセンブリにより上・小臼歯に固定され、ナンスボタンの配置に影響を与えることなくこれらの臼歯に弱い連続力を付与する。ばねアセンブリは、その外端部が、関連する帯環装着臼歯に取付けられた舌鞘（ｌｉｎｇｕａｌ ｓｈｅａｔｈ）に連結される。ばね圧力は、ばねアセンブリの操作により調節される。上記Ｈｉｌｇｅｒの装置は歯科技術に対する重要な改善であるが、調節能力は制限されている。
【０００３】
本願に援用するＦｒｅｉｄｒｉｃｈ Ｋ． Ｂｙｌｏｆｆ等の論文「振子装置を用いた遠心臼歯移動という名称の角度矯正（Ｔｈｅ Ａｎｇｌｅ Ｏｒｔｈｏｄｏｎｔｉｓｔ ｅｎｔｉｔｌｅｄ Ｄｉｓｔａｌ Ｍｏｌａｒ Ｍｏｖｅｍｅｎｔ Ｕｓｉｎｇ Ｔｈｅ Ｐｅｎｄｕｌｕｍ Ａｐｐｌｉａｎｃｅ）」（Ｖｏｌ． ６７， Ｎｏ．４， １９９７年）には、改善された振子装置が開示されている。この振子装置は、臼歯アップライティング・ベンドを用いている。
【０００４】
本願に援用する米国特許第５，７８５，５２０号には他の装置が開示されている。この米国特許は、対向小臼歯に固定されるフレーム構造を備えたナンスボタンを使用する装置を開示している。ナンスボタンフレーム構造と、ナンスボタンの後方に位置する帯環装着臼歯に取付けられた舌鞘との間には、ばね押圧された調節可能な１対のプッシャ要素が介在されている。歯列弓の舌側には入れ子式プッシャ要素が配置されており、該プッシャ要素は、帯環装着歯に作用する力を変えるべく、歯列弓の両側で長さ方向に調節できる。この米国特許の装置は、その部品の構造的配置が上記Ｈｉｌｇｅｒの装置よりもかなり複雑で、装置の両側での調節を必要とする。
【０００５】
既知の従来技術のいずれの装置も、遠心力が加えられる臼歯に可変力を加えるための中央配置形ねじ調節装置を使用していない。
【０００６】
（発明の開示）
本発明の遠心矯正装置は、歯列弓の舌側で臼歯に遠心圧力を加えるためのねじ調節可能な拡大装置を使用する。
【０００７】
本発明の装置は、装置の優れた固定を行なうためのナンスボタンすなわち口蓋インプラント等の固定ベースの使用、好ましくない副作用が最小となる予測可能な結果、調節装置への容易なアクセス可能性および力付与ばねアセンブリの交換容易性、および患者が歯科医の椅子に座って治療を受ける時間の全体的短縮等の遠心矯正装置に望まれる優れた長所が得られる。
【０００８】
本発明は、口の上方部分に座合できる固定ベースを備えた前方の支持アセンブリを有する遠心矯正装置を提供する。第一部分および外方に延びている少なくとも１つの第二部分をもつばね手段を備えた後方のばねアセンブリを有し、第二部分は歯に対して着脱可能に取付けられる。前記ベースに固定して取付けられる前方部と、着脱可能な関係をなしてばね手段を受入れる後方部と、ばね手段の第二部分が取付けられた歯に力を加えるための、前記第一および第二部分を移動可能な関係をなして一体に連結する手段とを備えた調節手段を更に有している。
【０００９】
本発明の一態様は、調節手段が、自由に回転可能な関係をなして前記前方部に取付けられる第一部分を備えたねじを有し、該ねじは、これが回転されると前記後方部が前方部に対して移動できるように、後方部にねじ連結された第二部分を備えている特徴を提供することにある。
【００１０】
本発明の他の態様は、調節手段が、前記第一部分と第二部分とを摺動関係をなして一体に連結する１対のスライドロッドを備えている特徴を提供することにある。
【００１１】
本発明の他の態様は、前記ねじの第一部分がツール受入れ部分を備えており、該ツール受入れ部分によりねじを回転することにより前記前方部および後方部を互いに移動させることができる特徴を提供することにある。
【００１２】
本発明の他の態様は、前記ねじのヘッドが多面形状を有しかつ傾斜関係をなしてツールを受入れることができる特徴を提供することにある。
【００１３】
本発明の他の態様は、前記調節手段の前方部が、横方向に配置されかつ前記ベースに固定される、前方に延びている部分を備えている特徴を提供することにある。
【００１４】
本発明の他の態様は、前記固定ベースがプラスチック材料で形成されたナンスボタンであり、前記横方向に配置される部分がナンスボタン内に埋入される特徴を提供することにある。
【００１５】
本発明の他の態様は、前記ベースが、内端部がナンスボタン内に埋入される外方に延びた部分を備え、該外方に延びた部分の外端部は歯にセメント付けできる特徴を提供することにある。
【００１６】
本発明の更に別の態様は、前記ばねアセンブリが、歯に取付けることができる対向スリーブと、着脱可能な関係をなして関連スリーブ内に受入れられる外端部とを備えている特徴を提供することにある。
【００１７】
本発明の一態様は、前記調節手段の後方部がスロットを備え、ばねアセンブリは、前記スロット内に着脱可能に受入れられる、前方に延びた中間部を備えている特徴を提供することにある。
【００１８】
本発明の他の態様は、前記ばね手段が、前方に延びた中間部と、外方に延びた部分とを備え、該外方に延びた各部分は歯に対して着脱可能に取付けることができ、前記調節手段が中央に配置され、前記後方部がばね手段の中間部を着脱可能な関係をなして受入れるスロットを備えている特徴を提供することにある。
【００１９】
本発明の一態様は、前記固定ベースが、口の天蓋に取付けられる口蓋骨内インプラントである特徴を提供することにある。
【００２０】
本発明の他の態様は、前記調節手段が前記インプラントと調節装置との間で延びている支持手段によりインプラントに取付けられる特徴、および前記支持手段が、インプラントに取付けられる湾曲部と、調節装置に取付けられる、後方に延びたアームとを備えている全体としてＵ形のワイヤである特徴を提供することにある。
【００２１】
本発明の一態様は、キットの形態で遠心矯正装置を供給できることであり、本発明のキットは、固定ベースを形成する手段を備えた前方の支持アセンブリと、ばねを備えた後方のばねアセンブリとを有し、前記固定ベースに取付けられる前方部と、着脱可能な関係をなして前記ばねを受入れる後方部と、前記前方部および後方部を移動可能な関係をなして一体にねじ連結するねじとを備えた調節装置とを更に有している。
【００２２】
本発明の他の態様は、キットの前記固定ベースがナンスボタンを形成する手段を有している特徴を提供することにある。
【００２３】
本発明の他の態様は、キットの前記固定ベースが骨内インプラントを形成する手段を有している特徴を提供することにある。
【００２４】
本発明の他の態様は、前記ねじが多面形ヘッドを備え、ねじのヘッドを受入れて回転させることができるツールを有しているキットを提供することにある。
【００２５】
本発明の他の態様は、前記ばね手段の中間部が全体としてＵ形である特徴を提供することにある。
【００２６】
本発明の他の態様は、前記調節手段の前方部が、横方向に配置された、前方に延びている部分を備えている特徴を提供することにある。
【００２７】
本発明の遠心矯正装置は比較的安価に製造でき、容易に使用でき、かつ意図した目的を効率的に遂行できる。
【００２８】
（発明を実施するための最良の形態）
ここで、最初に添付図面、先ず図１〜図３および参照番号を参照すると、本発明の装置１０は、実質的に固定されたナンスボタン（Ｎａｎｃｅ ｂｕｔｔｏｎ）または骨内インプラント等の固定装置からの制御された圧力の付与による臼歯の遠心矯正を目的とするものであることが理解されよう。
【００２９】
装置１０は、口蓋より詳しくは口蓋領域１０２の回りの歯列弓に配置された複数の歯を備えた、参照番号１００で示す上顎歯列弓、より詳しくは口蓋として一般に知られている口の領域に使用されている。歯列弓は更に、切歯１２０、１２１、犬歯１２２、小臼歯すなわち双頭歯１２３、１２４および臼歯１２５、１２６からなる対向歯対のベースを形成する基礎歯肉により定められる。
【００３０】
装置１０は、本質的に、前方に配置される支持固定アセンブリ１２と、ばねアセンブリ１４と、固定アセンブリ１２の一部を形成するナンスボタン１５とばねアセンブリ１４との間に延びている調節装置１６とを有している。
【００３１】
支持アセンブリのナンスボタン１５は、アクリル樹脂等のプラスチックで形成されかつ口蓋領域内に嵌合されるように配置される。ナンスボタン１５に加えて、支持アセンブリ１２は、１対以上のアーム１８、２０を有し、該アームは、ナンスボタン１５を所定位置に保持する例えばステンレス鋼ワイヤで形成できる。前方アーム１８は、対向する内端部２４および外端部２６を有している。内端部２４はナンスボタン１５内に一体成形され、外端部２６はセメント等により小臼歯１２３上に連結される。同様に、後方アーム２０も対向内端部２８および外端部３０を有し、内端部２８はプラスチックナンスボタン内に一体成形されかつ外端部３０はセメント等により小臼歯１２４上に連結される。この構成により、ナンスボタン１５は口蓋に対して所定位置に確実に保持されかつ調節装置１６に対する確実なベースを形成する。
【００３２】
図１および図３に最も良く示すばねアセンブリ１４は、好ましくは１本のワイヤ３１から形成され、かつ対向ループ部分３２と、Ｕ形外端部３４と、Ｕ形中間部３６とを有している。図示の好ましい実施形態では、ループ部分３２、Ｕ形部分３４および中間部３６は、直径０．０３２インチの１本のＴＭＡ（登録商標、チタン−モリブデン合金）ワイヤで形成できる。図１に最も良く示すように、ばねアセンブリ１４は、臼歯１２５に装着された帯環１２６に溶接または他の方法で取付けられた対向鞘すなわちスリーブ４０を有している。鞘４０は、Ｕ形部分３４の外側差込みアーム３８を摺動入れ子式関係をなして着脱可能に受入れるように構成されている。Ｕ形中間部３６は、拡大可能な調節装置１６に設けられた関連スロットすなわち通路（参照番号７７で示す）内に受入れられるように配置されている。
【００３３】
以下に詳細に説明する調節装置１６は、ナンスボタン１５に固定された前方本体部分５０と、後方本体部分５２とを有している。両本体部分５０、５２は、後方本体部分５２を軸線方向に相対移動させてばねアセンブリ１４に圧力を加えかつ帯環装着臼歯１２５に対して遠心力を加えるためのねじ５４を介して移動可能に連結されている。
【００３４】
図４〜図６を参照することにより、調節装置１６の部品が最も良く理解されよう。図示のように、前方本体部分５０は、１対の外側ガイド受入れ通路６０と、無ねじ山のねじ受入れ通路６２とを有している。前方本体部分５０は１対のアウトリガー・アーム６４を有し、これらのアウトリガー・アームは、溶接により本体部分５０に固定されかつナンスボタン１５内に埋入されていて、前方本体部分５０をナンスボタンにより形成された固定手段に確実に固定している。また、後方本体部分５２は、無ねじ山のガイド受入れ通路７０と、ねじ山付きのねじ受入れ通路７２とを有している。通路７０は摺動関係をなしてガイド７４を受入れており、ねじ山付きの通路７２は、螺合関係をなしてねじ５４の第二後方ねじ端部７６を受入れている。
【００３５】
図６に示すように、前方部分５０は、止めねじ６６を受入れるためのねじ山付き通路６６を有している。この構造により、ねじ５４は軸線方向に移動することなく回転できる。好ましい実施形態では、ねじ５４はソケットレンチ（図示せず）を受入れることができる六角面付きヘッド８０を有し、これにより、ねじ５４は、ねじヘッドと軸線方向に整合した態様で、または図２に中心線８２で示すように、ねじヘッド８０とは軸線方向に整合しない傾斜態様で回転される。或いは、ヘッド６０には、アレンレンチ（図示せず）を受入れることができるソケットを設けることができる。
【００３６】
ガイド７４は、前方本体部分５０に溶接または他の方法で固定される。しかしながら、ガイド７４は、後方部分５２の通路内では自由に摺動できる。部品のこの構成により、ねじ５４を回転すると、後方本体部分５２が前方本体部分５０から軸線方向に離れる方向に移動し、該後方本体部分５２のスロット７７内に受入れられたばねの中間部３６に対して圧力を加える。この圧力はばねアセンブリ１４の外側差込み端部３８に伝達され、鞘４０、帯環４２およびこれらが取付けられる臼歯１２５に遠心力を加える。
【００３７】
この遠心矯正装置１０の部品の構造は上記説明から完全に明らかになったであろうが、開示を完全なものとするため、装置の装着および使用方法について簡単に説明する。
【００３８】
最初に、当業者に良く知られた方法で、患者の歯列弓の模型が作られる。模型の口蓋領域上に押付けられる軟質アクリル樹脂の部片からナンスボタン１５が形成される。次に、予形成されたワイヤ１８、２０が、アウトリガー・アーム６４と一緒に軟質アクリル樹脂内に埋入される。ナンスボタン１５が形成されるとき、予め組立てられている調節装置１６の前方部分５０がナンスボタン１５内に埋入される。図示の実施形態では、ナンスボタン１５には凹部１７が形成されており、これにより、ねじ５４の多面形ヘッド８０が占拠する領域内にソケットレンチ（図示せず）がアクセスできる。
【００３９】
ばねアセンブリ１４のワイヤ３１は部分３２、３４、３６を有しかつ図３に示す形状に適合するように予め曲げられ、中間Ｕ形部分３６は後方本体部分５２のスロット７７内に挿入される。セッコウ模型（図示せず）を使用して、アクリル樹脂のナンスボタンに埋入された支持ワイヤ１８、２０は、これらがセメント付けされる小臼歯１２３、１２４に適合する適当な長さに切断される。同様に、ワイヤばねアセンブリ１４の端部の差込み部分３８は、臼歯１２５の予め嵌合された帯環４２に溶接すなわちロウ付けされる鞘４０内に受入れられるように曲げられる。図２から容易に理解されようが、差込み部分３８は逆方向に曲げられかつ鞘４０の前端部と係合する反転端部３９を有し、かつ差込み部分が鞘内に受入れられる量、従って、ばねアセンブリ１４から鞘、従って帯環４２および臼歯１２５への伝達荷重を制限する。
【００４０】
この手順の後、図１に示すように、ワイヤアーム１８、２０および調節装置１６が取付けられたナンスボタン１５を患者の口内に嵌合させ、アーム１８、２０を関連小臼歯１２３、１２４にセメント付けし、かつばねアセンブリ１４の中間部３６を受入れスロット７７内に嵌合させることは比較的簡単なことである。外側差込み部分３８は、これらの部分を前方に引っ張り、次に解放して関連鞘４０内に滑り込ませることにより嵌合させることができる。ねじ５４を回転させることにより、ばねアセンブリ１４に所望の圧力を加えることができる。ばねアセンブリ１４を取外して、一方のループ部分３２を、参照番号３２’の仮想線で示すように他方のループ３２とは異なる度合いとなるように予め曲げておくことにより左右の臼歯１２５に異なる圧力を加えることができることは理解されよう。他の任意の実施形態として、ばねアセンブリを一方側のみに設けるか、或いは各帯環臼歯１２５に単一または２つの個別調節装置１６を設けることもできる。本発明の装置１０の優れた特徴の１つは、ばねアセンブリのワイヤ部分の取外し、調節および交換が容易なことである。
【００４１】
図示の実施形態では、ねじ５４の多面形ヘッド８０は、４５°の角度に容易に曲げられる細長いボールジョイントソケットレンチまたはナットドライバにより回転される。図１１には、調節可能なナットドライバツールの簡単な形態が示されている。参照番号８３で示されたこの器具は、ナットドライバ端部８４と、ローレット加工端部８８を備えたシャフト８６と、ナットドライバ端部とシャフトとの間に取付けられた可撓ばねアセンブリ９０とを有している。この器具８３は、破線で示すように、ばねアセンブリ９０で撓ませることにより傾斜させることができる。本願に援用する米国特許第４，８７６，９２９号、第４，７３０，９６０号および第３，５８５，８８５号には、より複雑な他の調節可能ツールが示されている。別の実施形態として、半径方向に配置された複数の予ドリル穿孔形ソケット８４と組合せた嵌合ロッド７９（図６）を使用することもできる。ソケット８４はねじ５４の円筒状表面の回りに配置され、ロッド７９を回転させることによりねじ５４が回転される。
【００４２】
また、前に示唆したように、固定ベースとしてナンスボタンを使用する代わりに、骨内インプラントとして知られている歯科インプラントを使用することもできる。この形式のインプラントは、Ｈ． Ｗｅｈｒｂｅｉｎ等の論文「矯正インプラントへの口蓋インプラントの使用（Ｔｈｅ Ｕｓｅ ｏｆ Ｐａｌａｔａｌ ｉｍｐｌａｎｔ Ｆｏｒ Ｏｒｔｈｏｄｏｎｔｉｃ Ｉｍｐｌａｎｔｓ）」（第４１０〜４１６頁）の「臨床口腔インプラント研究１９９６：７（Ｃｌｉｎｉｃａｌ Ｏｒａｌ Ｉｍｐｌａｎｔｓ Ｒｅｓｅａｒｃｈ １９９６：７）」において論じられている。図７、図８および図９には、変更形態による遠心矯正装置２１０が示されている。ここに考察する形式の骨内インプラントは、Ｉｎｓｔｉｔｕｔ Ｓｔｒａｕｍａｎｎ ＡＧ社（Ｗａｌｄｅｎｂｕｒｇ、スイス国）から入手でき、かつ本願に援用する著書”Ｏｒｔｈｏｓｙｓｔｅｍｓ−Ｏｒｔｈｏ Ｉｎｆｏ ａ Ｓｔｒａｕｍａｎｎ Ｄｅｎｔａｌ Ｂｏｏｋｌｅｔ”（１９９７年６月）に開示されている。
【００４３】
骨内インプラントおよびその支持構造により形成される固定ベースを置換したことを除き、ばねアセンブリ１４および調節装置１６に関係する変更形態の装置２１０の他の構成部品は、前述の実施形態のものと同じである。従って、これらの部品については詳細には説明しない。
【００４４】
骨内インプラントアセンブリ２１２により形成される固定ベースは、研摩された経粘膜ネック（ｔｒａｎｓｍｕｃｏｓａｌ ｎｅｃｋ）２２０の上方の表面処理されたねじ形骨内部分２１８を備えたチタン製のインプラント２１５を有している。ネック２２０の下には衝合体２２２が設けられており、該衝合体では、正方形断面（０．０３２×０．０３２インチ）のＵ形矯正ワイヤ２２４で作られた経口蓋アーチ（ｔｒａｎｓ ｐａｌａｔａｌ ａｒｃｈｅｓ）が、前記ワイヤ２２４を受入れる開口２２８が設けられた矯正クランプキャップ２２８により保持される。ワイヤ２２４はネック２２０に受入れられ、アーム２３０は調節装置１６の前方部５０に溶接または他の方法で取付けられている。非回転キャップ２２６は咬合ねじ２３４により形成される回転可能なコア部分を有し、咬合ねじ２３４は、キャップ２２６と衝合体２２２との間にワイヤ２２４をクランプすべくアレンレンチ（図示せず）によりインプラント２１５の補完雌ねじ部分２３６に連結される。
【００４５】
良好な初期安定性を得るには、咬合ねじ２３４のねじ山はセルフタッピングが好ましい。骨内インプラントおよびインプラント手順についてのより完全な説明は、本願に援用する前掲のＣｌｉｎｉｃａｌ Ｏｒａｌ Ｉｍｐｌａｎｔｓ Ｒｅｓｅａｒｃｈ １９９６：７に記載された論文（第４１０〜４１６頁）においてなされている。
【００４６】
上記遠心矯正装置１０、２１０は、キットの形態で歯科矯正医に供給することができる。装置１０の場合には、キットは、固定アーム１８、２０用のステンレス鋼ワイヤを含む固定アセンブリ部品と、１つ以上のばね３１および１つ以上の鞘４０を形成するための１本以上のＴＭＡワイヤを含むばねアセンブリ部品と、前方本体部分５０、後方本体部分５２、ガイド７４およびねじ５４を含む１つ以上の調節装置１６とからなる。調節装置は予組立てされた状態で供給できることは理解されよう。
【００４７】
変更形態による遠心矯正装置２１０の場合には、キットは、固定アセンブリが骨内インプラント２１５およびＵ形の経口蓋アーチ２２４を形成する１本のワイヤで形成される点を除き、上記と同じ構成部品からなる。
【００４８】
両キットには、装置の装着および調節に必要なツールを含めることができる。
【００４９】
以上、好ましい実施形態を参照して、調節可能な遠心矯正装置を詳細に説明したが、このような細部は限定的なものではなく例示てきなものであり、特許請求の範囲の記載に定められた範囲内で種々の変更を施すことができる。
【図面の簡単な説明】
【図１】
本発明の遠心矯正装置を示す平面図である。
【図２】
図１の２−２線に沿う断面図である。
【図３】
圧力調節装置を示す斜視図である。
【図４】
圧力調節装置を示す端面図である。
【図５】
図４の５−５線に沿う縦断面図である。
【図６】
図４の６−６線に沿う縦断面図である。
【図７】
ナンスボタンの代わりに口蓋インプラントを使用する変更形態による遠心矯正装置を示す平面図である。
【図８】
図７の８−８線に沿う断面図である。
【図９】
口蓋インプラントを示す分解斜視図である。
【図１０】
ばねアセンブリを示す部分端面図である。
【図１１】
調節ツールを示す側面図である。
【国際公開パンフレット】
2004509696.tif 000003
2004509696.tif 000004
2004509696.tif 000005
2004509696.tif 000006
2004509696.tif 000007
2004509696.tif 000008
2004509696.tif 000009
2004509696.tif 000010
2004509696.tif 000011
2004509696.tif 000012
2004509696.tif 000013
2004509696.tif 000014
2004509696.tif 000015
2004509696.tif 000016
2004509696.tif 000017
2004509696.tif 000018
2004509696.tif 000019
2004509696.tif 000020
2004509696.tif 000021
2004509696.tif 000022
2004509696.tif 000023
【国際公開パンフレット（コレクトバージョン）】
2004509696.tif 000024
2004509696.tif 000025
【国際調査報告】
2004509696.tif 000026